Podtech/llm-jp-corpus-v4-ja_patent huggingface dataset:
(57)【要約】      （修正有）【課題】簡単に、かつ容易に製造できるお好み焼き風鯛焼きを提供する。【解決手段】野菜や肉などの具材の上面と下面に、別途作成したシート状の生地３を配し、全体を押圧した。【選択図】図１
0003206086.tif 000002
【実用新案登録請求の範囲】
【請求項１】
野菜や肉などの具材の上面と下面に、別途作成したシート状の生地を配し、全体を上下に圧接したお好み焼き風鯛焼き
【考案の詳細な説明】
【技術分野】
【０００１】本考案は、一般の鯛焼きの餡に代えて、野菜や肉などの具材を用いたお好み焼き風鯛焼きに関するものである。
【背景技術】
【０００２】  一般の鯛焼きの製造に関しては、焼き板に形成した鯛の焼き型に餡を充填するときには、まず、焼き板に液状の生地を一々平面状に流し込み、そして、餡をその上に置いた後にも、またその餡の上に更に液状の生地を流し込む作業をしなければならないために、製造には手間や時間、更には熟練した技術を必要としていた。
【考案の概要】
【考案が解決しようとする課題】
【０００３】  お好み焼き風鯛焼きの製造に際しては、小麦、砂糖、重曹などから成る生地成分を混合して、それを液状化した生地を、焼き板の焼き面に平面状に流し込み、その上に載せた具材上に、更に液状の生地を再び平面状に散布するので、その散布を適正に行うためには練習や技術を要するだけでなく、生地の厚みや製品に斑が生じ、生地の無駄が生じるなどの欠点を有する。
そこで本考案は、それらの欠点を解決しようとするものである。
【課題を解決するための手段】
【０００４】  本考案は、野菜や肉などの具材の上面と下面に、別途作成したシート状の生地（以下生地シートと言う）を配し、全体を上下に押圧したお好み焼き風鯛焼きから成る。
【考案の効果】
【０００５】  本考案のお好み焼き風鯛焼きは、その具材を液状の生地ではなく、別途作成した二枚の生地シートで挟んで作るので、お好み焼き風鯛焼きを短時間に、かつ容易に作ることができ、生地の厚さが均等で、製品斑が生じないだけでなく、長時間の訓練や特別な技術も要しないという効果を有する。
【図面の簡単な説明】
【０００６】
【図１】  二つ折りの焼き板に形成した各焼き型の上に生地シートを配置したところを示す平面図である。
【図２】  焼き型が鯛の場合の鯛の焼き型を示す平面図である。
【考案を実施するための形態】
【０００７】  二つ折りの焼き板のそれぞれに、複数の焼き型を左右対称に形成しておき、先ずその焼き板を所望の温度まで加熱し、別途作成しておいた小麦粉、還元水飴、こんにゃく粉、卵白、植物油脂、食塩、グリセリン等から成る生地シートを、左右の各焼き型の上に載せ、それらの左右の生地シートの上に、具材を載せる。そして更に、具材と生地シートの接着をよくするためのつなぎ生地を少量、具材の上に添加する場合がある。
【０００８】  裏面に加熱部を備えた焼き板を具備した電気式焼成器の場合は、設定した温度と時間にもとずき焼成を行い、焼成を完了したら焼き板を開いて製品を取り出す。
【０００９】  本考案のお好み焼き風鯛焼きは、一般には図２に示すような鯛の形状をしているが、必要に応じていろいろな形状とすることができるので、添付の図１では、色々な形状の焼き型を含める意味で、焼き型を単なる菱形の形状で示している。つまり、本考案の鯛焼きは鯛の形状に限定されるものではない。
【実施例】
【００１０】  二つ折りの焼き板１を、電気式焼成器の場合は１８０℃〜１９０℃前後に加熱してから（ガス式焼成器の場合は１５０℃前後に加熱してから）、左右の焼き板１に形成した各焼き型２を覆うように、別途作成してある生地シート３を焼き板の上に並べる。好ましくは、生地シートを焼き型の上に並べる前に、一旦水に潜らせることにより、焼成中にシートは破れることがなく、しかも、出来上がった鯛焼きの姿がはっきりしたものとなるという効果を奏することができる。【００１１】  次いで、肉、野菜、天かす、そば麺、ソース等から成る具材を各生地シート３の上に載せ、その上に、つなぎ生地を少量振りかけることにより、出来上がった製品の生地シート２がずれることがなく、きれいな形態を維持することができ、製品価値を高めることができる。【００１２】  そして、二つ折りの焼き板１の一方を他方の焼き板１の上に折り畳み、電気式焼成器の場合は、約３分間焼成（ガス式焼成器の場合は約６分間焼成）し、少し強めの温度で焼成する。その間、適宜焼き具合を調整するために、焼き板１を適宜上下反転させながら焼成し、焼成を完了する。そして、上側の焼き板を開いて製品を取り出す。【００１３】  なお、生地シートの形状は四角形状には限定されず、適宜の形状に変更できる。
【符号の説明】
【００１４】  １  焼き板
２  焼き型
３  生地シート
４  鯛の焼き型
【図１】
0003206086.tif 000003
【図２】
0003206086.tif 000004
(57)【要約】      （修正有）【課題】天板と幕板の隙間を利用した遮蔽布を使用する際、遮蔽布をより強固に固定し、つっかえ部の破損を防ぐ構造を持つテーブルを提供する。【解決手段】テーブル天板１の裏面、且つ幕板で囲まれた範囲の内側に溝加工がされており、その溝６がつっかえ部３の入る事ができる深さ及び幅があり、つっかえ部３が溝６に入る事で幕板と天板１の隙間を通った遮蔽布結合部４において、遮蔽布５を幕板に固定する際のつっかえ部の負担を軽減し、遮蔽布５をより強固に固定する役割を果たす事ができる。【選択図】図２
0003206064.tif 000002
【実用新案登録請求の範囲】
【請求項１】
テーブル遮蔽布をより強固に固定し、つっかえ部の破損を防ぐための溝加工がされており、その溝がつっかえ部が入る事のできる深さ及び幅があるテーブル。
【考案の詳細な説明】
【技術分野】
【０００１】      本考案はテーブル遮蔽布用の溝加工テーブルによる。
【背景技術】
【０００２】      従来のテーブル遮蔽布は主にこたつで使われているように、天板と中天板で挟むような形で固定されていた。【０００３】      しかし遮蔽布を取り外しする際、天板を一度移動させなければならないという欠点があった。【０００４】      また天板を移動させずに遮蔽布を固定する方法はテーブルや机に固定用の部品を取り付けなければいけないという欠点もあった。【０００５】      上記課題を解決するための遮蔽布は固定時にぐらつきがあり、又つっかえ部に負担がかかってしまい、破損する可能性があった
【先行技術文献】
【特許文献】
【０００６】
【特許文献１】特開２０１５−１６６６５１  公報
【０００７】
【特許文献２】特開２００７−１９００４０  公報
【非特許文献】
【０００８】
【非特許文献１】４月２５日実用新案登録申請、整理番号ＫＫ０００１、テーブル遮蔽布、発明者北村河越
【考案の概要】
【考案が解決しようとする課題】
【０００９】      本考案は、以上のような従来の欠点を鑑み、テーブル遮蔽布天板と幕板の隙間を利用した遮蔽布をより強固に固定し、つっかえ部の破損を防ぐ構造のテーブルを提供する事を目的とする。
【課題を解決するための手段】
【００１０】      上記目的を達成するために、本考案は天板裏側に遮蔽布のつっかえ部が入る溝加工をテーブルに施す。
【考案の効果】
【００１１】      以上の説明から明らかなように、本考案によって次に列挙する効果が得られる。
（１）天板裏側に遮蔽布のつっかえ部が入る溝加工をテーブルに施すことで、つっかえ部が天板、もしくは幕板に密着する事ができ、遮蔽をより強く固定し、つっかえ部の破損を防ぐ。
【図面の簡単な説明】
【００１２】
【図１】テーブル遮蔽布を利用したテーブルの断面図である。
【図２】本考案を実施するための最良のテーブル遮蔽布を利用したテーブルの断面図である。
【図３】本考案を実施し、溝加工を施したテーブル天板の底面図である。
【図４】テーブル遮蔽布のつっかえ部斜視図である。
【図５】一般的な遮蔽布を利用したテーブル（こたつ）の断面図である。
【考案を実施するための形態】
【００１３】      以下本考案の実施の形態を図に基づいて説明する。
【実施例１】
【００１４】      図４はつっかえ部の斜視図であって、天板と幕板の隙間を通過させる。【００１５】      図２は本考案を実施するための最良のテーブル遮蔽布を利用したテーブルの断面図であり３のつっかえ部を６の溝に引っ掛ける事でより強固に固定でき、つっかえ部の破損を防ぐ。
【産業上の利用可能性】
【００１６】      本考案は、テーブルを製造する産業で利用される。
【符号の説明】
【００１７】１天板
２幕板
３つっかえ部
４遮蔽布結合部
５遮蔽布
６溝
７脚部
８つっかえ部穴部
９中天板
【図１】
0003206064.tif 000003
【図２】
0003206064.tif 000004
【図３】
0003206064.tif 000005
【図４】
0003206064.tif 000006
【図５】
0003206064.tif 000007
【手続補正書】
【提出日】平成28年6月20日(2016.6.20)
【手続補正１】
【補正対象書類名】実用新案登録請求の範囲
【補正対象項目名】全文
【補正方法】変更
【補正の内容】
【実用新案登録請求の範囲】
【請求項１】
テーブル天板裏面、且つ幕板で囲まれた範囲の内側に溝加工がされており、その溝がつっかえ部の入る事ができる深さ及び幅があり、つっかえ部が溝に入る事で幕板と天板の隙間を通った遮蔽布結合部が遮蔽布を幕板に固定する際のつっかえ部負担軽減、及び遮蔽布をより強固に固定する役割を果たす事ができるテーブル。
(57)【要約】      （修正有）【課題】散歩から帰宅した犬の肉球を湿らせることなく足裏を容易に清掃することができる室内犬用足裏クリーニングツールを提供する。【解決手段】握り易く加工した円柱状の木製の本体の片面には豚毛あるいは馬の尻尾毛ブラシ１を設けもう片面には鹿革２を張り付けた拭き取り面を設け、そのクリーニングを目的とした両面を適切に駆使することにより犬の足裏を湿らせることなく容易に清掃できる。【選択図】図１
0003206063.tif 000002
【実用新案登録請求の範囲】
【請求項１】
握り易く加工した円柱（楕円柱）状の木製（あるいは樹脂製）の本体からなる室内犬用足裏クリーニングツールであって、当該木製（あるいは樹脂製）本体には片面には豚毛（馬の尻尾毛、猪毛）ブラシを設けもう片面には鹿革（セーム革）を張り付けた拭き取り面を設けそのクリーニングを目的とした両面を適切に駆使することにより犬の足裏を湿らせることなく容易に清掃できる室内犬用足裏クリーニングツール。
【考案の詳細な説明】
【技術分野】
【０００１】  本考案は、室内犬が散歩から帰宅した時に足裏をクリーニングして室内に上げるための室内犬用足裏クリーニングツールに関するものである。
【背景技術】
【０００２】  従来、室内犬が散歩から帰宅した際はウエットティッシュや濡れ雑巾で足裏を拭くか、また飼い主によっては毎回足洗（水洗等）をして室内に入れることが通常行われている。この犬の足裏を濡らす行為は犬の足裏、特に肉球の健康面で安全であるのか非常に疑問が残るものであった。その防御策としてペット用靴なるものを履かせて散歩する手段もとられているが、それに違和感を感じる犬もいると推察できる。
【先行技術文献】
【特許文献】
【０００３】
【特許文献１】  特開２００４−２５４６０６（Ｐ２００４−２５４６０６Ａ）公報
【特許文献２】  特開２００４−３２９１９６（Ｐ２００４−３２９１９６Ａ）公報
【考案の概要】
【考案が解決しようとする課題】
【０００４】  室内犬が散歩から帰宅した際にその足裏を清掃することは誰もが行う行為であるが、その問題点は清掃手段として足裏を水洗または濡れ雑巾等で拭くことにより足裏を湿らせてしまい、きちんと乾燥させずにそのまま放置することにより雑菌が繁殖し易く指間炎を発症してしまうばかりか、本来犬が持っている免疫力も低下させてしまう。その結果足裏の肉球が弱ってしまい歩行困難、健康悪化に繋がってしまう。その防御策としてペット用靴を履かせて散歩する手段もとられるがそれに犬が違和感を感じて散歩が楽しめないばかりでなく、犬によっては軽いパニックに陥り歩かなくなったり外すことにやっきになる場合もある。また通気性が悪いため蒸れたりしてしまう。何よりも散歩することにより鍛えられ硬く丈夫な肉球になっていくこの重要な工程を阻害してしまう。ペット用靴は災害時等の緊急時にその使用を限定することが好ましく日常の散歩ではその必要性が疑問視される。本考案は従来の問題点に鑑み、室内犬の足裏を濡らすことなく肉球にダメージを与えず足裏をきれいにすることができる室内犬用足裏クリーニングツールを提供する事を目的としている。
【課題を解決するための手段】
【０００５】  上記の目的を達成するために本考案は、握り易く加工した円柱（楕円柱）状の木片あるいは樹脂片に、片面には豚毛や馬の尻尾毛あるいは猪毛のブラシを設けもう片面には鹿皮（セーム皮）を張り付けた拭き取り面を設けそのクリーニングを目的とした両面を適切に駆使することにより容易に犬の足裏を清掃できる室内犬用足裏クリーニングツールを構成している。
【考案の効果】
【０００６】  以上の説明から明らかなように、本考案にあっては次に列挙する効果が得られる。
（１）散歩から帰宅した犬の足を先ず初めに豚毛（馬の尻尾毛や猪毛）ブラシで軽く磨くことで土やごみを容易に取り除くことができる。次に反対面に設けられた鹿皮（セーム皮）を貼った磨き面で肉球をマッサージすることにより肉球についている汚れを優しく除去することができる。
（２）水を一切使用しないので、犬の肉球を湿らすことがなく足裏を清掃することができる。安心して散歩帰りの犬の足裏ケアをすることが可能となる。
【図面の簡単な説明】
【０００７】
【図１】  本考案の実施図である。
【図２】  本考案の外観図である。
【考案を実施するための形態】
【０００８】  以下、本考案の実施の形態を図に基づいて説明する。
図１は本考案品の実施例を表している。木製本体の片面に設けた豚毛（馬の尻尾毛・猪毛）ブラシ１で散歩から帰宅した犬の足裏をブラッシングすることにより土やごみを取り除く。次に反対面に設けた鹿革（セーム革）拭き取面２で肉球を優しくマッサージするように拭き取ることにより、鹿革（セーム革）の極細で肌目が細かく柔軟性のある繊維が肉球を傷つけることなく足裏を清掃することができる。土汚れがどうしても気になる場合、やむを得なく水拭きしたとしても鹿革（セーム革）の優れた吸水性を生かししっかりと水分を除去できる。
図２は本考案品の外観図である。その構造を以下に説明する。木製素材（あるいは樹脂素材）でできた円柱（楕円柱）状本体Ａの片面には豚毛（あるいは馬の尻尾毛、猪毛など）で作ったブラシ１を設け、その反対面には鹿革（セーム革）２を張り、ワンタッチで鹿革（セーム革）２を取り外せる構造を設ける。その構造とは曲面３を形成した凸形状部４に鹿革を被せ、樹脂製（あるいはゴム製）のリング状のリテーナーを上から圧入して鹿革（セーム革）を固定するものである。この構造は鹿革（セーム革）のメンテナンスを容易にするもので、そのメンテナンス方法は圧入したリテーナーを外すことで簡単に本体から鹿革（セーム革）を脱着し水洗い乾燥するものである。
本考案品の全体の大きさは、大型犬・小型犬でそれぞれ異なる大きさとするのも一案である。
【符号の説明】
【０００９】Ａ      本体
１      豚毛（馬の尻尾毛、猪毛）ブラシ
２      鹿革（セーム革）
３      曲面（本体鹿革張り付け面）
４      凸形状部（鹿革固定用リテーナー圧入部）
５      樹脂製リテーナー（鹿革固定用リテーナー・リング状）
【図１】
0003206063.tif 000003
【図２】
0003206063.tif 000004
【手続補正書】
【提出日】平成28年6月10日(2016.6.10)
【手続補正１】
【補正対象書類名】実用新案登録請求の範囲
【補正対象項目名】全文
【補正方法】変更
【補正の内容】
【実用新案登録請求の範囲】
【請求項１】
握り易く加工した円柱状の木製の本体からなる室内犬用足裏クリーニングツールであって、当該木製本体には片面には豚毛あるいは馬の尻尾毛ブラシを設けもう片面には鹿革を張り付けた拭き取り面を設けそのクリーニングを目的とした両面を適切に駆使することにより犬の足裏を湿らせることなく容易に清掃できる室内犬用足裏クリーニングツール。
(57)【要約】      （修正有）【課題】草刈り機等で作業するに当たり、切り込み飛散物、土塊、石塊その他が人体や作物に当たるのを防止する草刈り具と防護カバーの組み合わせを提供する。【解決手段】草刈り機の回転ネック部分に取り付ける大中小の草刈り具１、と軌道軸８に取り付ける飛散物安全防護カバ―１１からなる。【選択図】図３
0003206044.tif 000002
【実用新案登録請求の範囲】
【請求項１】
本考案は草刈り機で、作業するに当たり飛散物が人体や作物に当たるのを安全に防護するカバーと実施する現場の条件に、本機の回転ネック部分に、大中小の必須両具を組み合わせて活動する両具の開発である。
【考案の詳細な説明】
【技術分野】
【０００１】  この考案は、草刈り機で草刈り作業するに当たり、飛散物が人体、作物に飛び散り傷害を被ったりして危険を伴う、そこでこの防護対策として、本機の軌道軸、ネック部分に作物の植え付け間隔の大中小に適合したカバーと、それにセット出来る部品の両具の考案である。
【背景技術】
【０００２】  飛散物防護として顔部分に、防止にネットや眼鏡、前掛けズボン等で各所に備えていた、又防護カバーの大中小は無かった。
【考案の開始】
【考案が解決しようとする課題】
【０００３】    草刈り機に取り付ける金属カッターや、ナイロン紐等で草刈りを実施するに当たり
飛散物が常に発生し、人体や作物に損傷被害を被っていた、この防護対策として、円形リング型、軽量金属、プラスチック等で回転ネック部分に被せ、大中小使用条件に合わせ、作業する現場の間隔が狭い場合、起動回転部分に取り付ける部品の具を小型化し小間隔に合致する道具を取り付け、それに適合したカバーをセットし除草と飛散物の防護を加味した開発である。
【課題を解決する手段】
【０００４】  草を刈り取る廻りが、障害物のない現場は大型飛散物防護カバーを取り付け作業に当たることが出来る、刈りとる現場が狭い場合は、起動部分に小型回転両具をセットし畝間株間の作物に触れることなく傷めることなく、作業者にも飛散物防護が出来る。
【考案の効果】
【０００５】  カバーを取り付けることにより、人体や植え付け作物に障害がないので安心して作業が出来る。
【考案を実施するための最良の形態】
【０００６】  以下考案の実施の形態について説明する。
実施する条件、除草する対象の間隔が広い場合は取り付けカバーを最大にし、ナイロン紐もリングの内径に合わせて、最大にする、又狭い畝株間に適合するには、ナイロン紐とうし回転盤（１）小にし、２本又は４をとうし座金版（５）取り付け抑え込み、飛散物防護カバー（１１）セットしてその作業に当たる。
【図面の簡単な説明】
【０００７】
【図１】本考案のナイロン紐とうし小型回転盤の斜視図
【図２】ナイロン紐抑え座金
【図３】本考案の仕上がり斜視図
【各考案部品の符号の説明】
【０００８】  １  ナイロン紐とうし小型回転盤
２  紐止め穴
３  ナイロン紐
４  抑えボルト穴
５  ナイロン紐抑え座金
６  座金抑え穴
７  ジョイント
８  起動シャフト
９  軌道シャフト挿入切り込み
１０  軌道シャフト固定穴
１１  飛散物防護カバー
１２  カバー抑え
【図１】
0003206044.tif 000003
【図２】
0003206044.tif 000004
【図３】
0003206044.tif 000005
【手続補正書】
【提出日】平成28年6月8日(2016.6.8)
【手続補正１】
【補正対象書類名】実用新案登録請求の範囲
【補正対象項目名】全文
【補正方法】変更
【補正の内容】
【実用新案登録請求の範囲】
【請求項１】
草刈り機の回転ネック部分に取り付ける大中小の草刈り具、と軌道軸に取り付ける飛散物安全防護カバ―の組み合わせ
(57)【要約】      （修正有）【課題】スチール、鉄、アルミ等の網状の物をカゴ本体と蓋として使用しカゴ本体と蓋に南京錠の様な鍵を付けることにより、荷物の盗難を防止する、自転車又はバイクの鍵付きカゴを提供する。【解決手段】自転車又はバイクに用いる鍵付きカゴ３であって、鍵付きカゴ３は、本体５に固定されている蝶番４で開閉可能な蓋１を有するものであり、蓋１と本体５とは、鍵２によって施錠可能なものであることを特徴とする鍵付きカゴ３を自転車又はバイクに取付けることにより、駐輪中の盗難防止やひったくり防止に役立つ。【選択図】図２
0003206048.tif 000002
【実用新案登録請求の範囲】
【請求項１】
自転車又はバイクに用いる鍵付きカゴ３であって、前記鍵付きカゴ３は、本体５に固定されている蝶番４で開閉可能な蓋１を有するものであり、前記蓋１と前記本体５とは、鍵２によって施錠可能なものであることを特徴とする鍵付きカゴ３。
【考案の詳細な説明】
【技術分野】
【０００１】本考案は、自転車又はバイクのカゴに蓋と鍵を設け荷物の盗難を防止するものである。
【背景技術】
【０００２】従来は蓋部分をビニールや布で覆う形のひったくり防止程度の物が多かった。
【考案の概要】
【考案が解決しようとする課題】
【０００３】布やビニールのような素材はひったくり防止には有効であるが、破れるなどの破損しやすい点から置き引き等の盗難防止の効果は十分なものではなかった。
【課題を解決するための手段】
【０００４】自転車６又はバイクに用いる鍵付きカゴ３であって、前記鍵付きカゴ３は、本体５に固定されている蝶番４で開閉可能な蓋１を有するものであり、前記蓋１と本体５とは、鍵２によって施錠可能なものであることを特徴とする。鍵付きカゴ３を自転車６またはバイクに取り付けることにより、ひったくりや置き引き等の盗難防止の効果を高める。
【考案の効果】
【０００５】スチール、鉄、アルミ等の網状の物を本体５と蓋１として使用する為、重さがでにくく丈夫である。破れにくい素材でカゴ本体５に蓋１と鍵２を付けることにより盗難防止の効果が高まる。ビニールや布カバーの様にチャック等も無いためワンタッチで開閉できる。
【図面の簡単な説明】
【０００６】
【図１】本考案を自転車に使用した場合であり、蓋を開いた状態の斜視図である。
【図２】本考案の鍵付きカゴの蓋を閉じた状態の斜視図である。
【考案を実施するための形態】
【０００７】自転車６又はバイクに用いる鍵付きカゴ３であって、前記鍵付きカゴ３は、本体５に固定されている蝶番４で開閉可能な蓋１を有するものであり、前記蓋１と本体５とは、鍵２によって施錠可能なものであることを特徴とする鍵付きカゴ３である。（図２）
スチール、鉄、アルミ等で作成した網状のカゴ５に同素材の蓋１を付ける。蓋１は、２７０度に開閉する。（図１）カゴ本体と蓋を施錠２することにより盗難防止に役立つ。
【実施例】
【０００８】本体５と蓋１にスチール、鉄、アルミ等の網状の物を使用し、カゴ本体５と蓋１に南京錠の様な鍵２を取付け施錠することにより（図２）荷物の飛出し防止と盗難防止に役立つ。自転車６又はバイクに鍵付きカゴ３を取り付ける事により、ひったくりや置き引きを防止する。カゴより高さのある荷物を入れる場合は、防犯効果は無くなるが、２７０度に開くため開けたままの使用も可能である。
【符号の説明】
【０００９】      １  蓋
２  鍵
３  鍵付きカゴ
４  蝶番
５  本体
６  自転車
【図１】
0003206048.tif 000003
【図２】
0003206048.tif 000004
(57)【要約】      （修正有）【課題】地形図の曲がりくねった登山ルート上に刻印して距離を測定できる定規を提供する。【解決手段】ボールチエーンに１ｃｍ、５ｃｍ、１０ｃｍごとに色または印をつける。ボールチエーンの材質を、磁石に引きつけられる鉄製にすれば、磁性盤の上で、地形図、ボールチエーンが固定された状態で使用できる。【選択図】図１
0003206049.tif 000002
【実用新案登録請求の範囲】
【請求項１】
地形図等の距離を測る定規である。地形図上に簡単に置けるもので、金属で作られ、目盛りがはっきりしているものであること。
目盛りは、１ｃｍ、５ｃｍ、１０ｃｍごとに色（またはボール・チェーンに印をつける）を違えて印を付けるが、現在発行されている国土地理院の地形図は２万５千分１地形図であるのと、目盛りは、１ｃｍ、４ｃｍごとに付けたほうが読みやすいこともある。  また、地形図には５千分１地形もある。
いろいろな地図に対応できるため、数種類の印をつけた定規とする。
地形図等の曲がりくねった登山道等の距離を１ｃｍごとに印をつけられるボール・チェーンを使った定規である。
直径１ｍｍほどのボール・チェーンの１ｃｍごと、５ｃｍごと、１０ｃｍごとに、色の違った（又は型の違った）ボール・チェーンを使うことにより、地形図上の曲がった登山道にも１ｃｍごとに測れる定規ができる。材質は鉄やニッケルなどの金属の合金で構成されているので、延び縮みが無く、定規としての機能を持つことが出来る。ボール・チェーンを磁性のものにすれば、地図上で固定できる。
携帯に便利なように、ボール・チェーンの両端にリングをつけてある。
【考案の詳細な説明】
【技術分野】
【０００１】  地形図等の曲がりくねった登山道等の距離を１ｃｍごとに印をつけられるボール・チェーンを使った定規である。
直径１ｍｍほどのボール・チェーンの１ｃｍごと、５ｃｍごとに、色の違った（又は型の違った）ボール・チェーンを使うことにより、地形図上の曲がった登山道にも１ｃｍごとに測れる定規ができる。材質は鉄やニッケルなどの金属の合金で構成されているので、延び縮みが無く、定規としての機能を持つ。
携帯に便利なように、ボール・チェーンの両端にリングをつけてある。
【背景技術】
【０００２】  地形図上の曲がった道でも、測れるものを考えた。
【産業上の利用分野】
【０００３】  地形図でのルート上に１ｃｍ、５ｃｍ、１０ｃｍごとの、距離の測定ができる。学校での地理教育や登山、オリエンテーリング等に利用できる。
【背景技術】
【０００４】  従来のキルビメーターは地図上のある距離間を測るだけであるが、このチェーンの定規は、登山道が曲がりくねっていても、そのとおりに測定できるので、１ｃｍごとの距離や、４ｃｍ（２万５千分１地形図上の１ｋｍの水平距離）の記録が出来る。
【考案が解決しようとする課題】
【０００５】  登山、オリエンテーリング等の地形図におけるルート上の１ｃｍごとの記録ができ、登山をする前に距離の予想がたてられる。また、その地点の標高が地図上で読める。さらに、登山ルートの高低表も作ることができる。
【課題を解決するための手段】
【０００６】  地形図上の距離を１ｃｍ、５ｃｍ毎に印をつけられる定規を製作することは、登山ルートの曲がり等の測定に於いては、チェーンが小さい程、精度がよくなるが、ボール・チェーンの大きさに限度があるので測定の範囲を１ｃｍの機能とした。
作用として、ルート上に印を付けることにより、その点の標高が即座に読める。
私の場合、読図は二色彩色法を使っている。
【実施例】
【０００７】  ２万５千分１地形図（５万分１地形図）等の登山ルートの高低表を描くことにも役立つ。また、地形図上の登山行動のだいたいの水平距離も測れる。
【発明の効果】
【０００８】    地形図のルート上のおおよその水平距離が測れること。
国土地理院の地形図では曲がりくねった道は、かなり省略されているところもある。
【図面の簡単な説明】
【０００９】
【図１】  ボール・チェーンの定規はボール・チェーン、リングとこの二つを繋ぐ部品から出来ている。定規の部分は１ｃｍごと、５ｃｍごと（又は１０ｃｍごと）のボール・チェーンに目盛りのための色（又はボールの形あるいはキズをつけて目盛りとする）をつけたものである。これは、地形図上などの曲がったところも測れる定規である。
【図１】
0003206049.tif 000003
【手続補正書】
【提出日】平成28年6月1日(2016.6.1)
【手続補正１】
【補正対象書類名】実用新案登録請求の範囲
【補正対象項目名】全文
【補正方法】変更
【補正の内容】
【実用新案登録請求の範囲】
【請求項１】
ボール・チェーンに色または印をつけたもので、１ｃｍ、５ｃｍ、１０ｃｍごとに付けるという特徴をもつ定規。
(57)【要約】      （修正有）【課題】伝統ある水引の需要を増やすことにより、低迷している水引産業の活性化を図る水引ディフューザーを提供する。【解決手段】さまざまな種類の器３に、用途や好みに合わせた液体状のディフューザー２を入れ、さまざまな形状の水引１を差し込み、香りを染み込ませ噴霧させる。【選択図】図１
0003206042.tif 000002
【実用新案登録請求の範囲】
【請求項１】
水引本体にディフューザー液（芳香液・消臭液・防虫液）を染み込ませ、ディフューザーとしての機能を果たすことを特徴とする水引ディフューザー。
【考案の詳細な説明】
【技術分野】
【０００１】本考案は、和紙でできた水引の構造をいかし、器に入った芳香液や消臭液、防虫液などの液体を水引全体に吸い込ませ、それらを噴霧させるディフューザーに関するものである。
【背景技術】
【０００２】本来水引は、のし袋や結納品、また鑑賞用としてのみ使用されていた。
【非特許文献】
【０００３】
【非特許文献１】「南信州新聞  ２０１５年８月２８日８面」
【非特許文献２】「日本経済新聞  長野県欄掲載  ２０１５年９月２日３９面」
【非特許文献３】「毎日新聞  ２０１５年９月９日３５面」
【考案が解決しようとする課題】
【０００４】伝統工芸品である水引の消費低迷や、非日常での使用が主となっていた水引の問題点を、ディフューザーという雑貨へ落とし込むことにより、より日常での用途へと用途の幅を広げ、前述の欠点を解決しようとするものである。
【課題を解決するための手段】
【０００５】本考案は、既存の水引職人が作り上げる装飾・造形物だけでなく、水引の形状そのもの（棒状）を使用することにより、水引消費量を底上げし、問題点を解決している。
【考案の効果】
【０００６】上述のように、本考案の水引ディフューザーは、編込んだり装飾した水引商品だけでなく、水引素材のみだけでも商品となることにより、水引職人の減少問題にも対応ができ、水引素材の活路を見出すことができる。また、ディフューザーに使用する香りは芳香液・消臭液・防虫液など幅広い種類の香りから選べるため、さまざまな場面に対応ができる。
【図面の簡単な説明】
【０００７】
【図１】  本考案の水引ディフューザーの実施例を示す正面図である。
【考案を実施するための形態】
【０００８】さまざまな種類の器に、用途や好みに合わせたディフューザー液を入れ、さまざまな形状の水引を差し込み、香りを染み込ませ噴霧させる。
【実施例】
【０００９】以下、添付図面に従って実施例を説明する。１は和紙で作られた装飾・造形物である水引と非装飾・非造形物である水引、２は芳香液・消臭液・防虫液などの液体状のディフューザー、３はディフューザー液に対応できるさまざまな素材や形状で作られた器。
【産業上の利用可能性】
【００１０】本考案の実施例は、上述の如き構成からなるものであるから、１と３だけでも鑑賞用として機能することはもちろんであるが、２に１を入れるだけでもディフューザーとしての機能をはたすこととなる。
【符号の説明】
【００１１】１  水引
２  液体状のディフューザー
３  器
【図１】
0003206042.tif 000003
【手続補正書】
【提出日】平成28年4月21日(2016.4.21)
【手続補正１】
【補正対象書類名】実用新案登録請求の範囲
【補正対象項目名】全文
【補正方法】変更
【補正の内容】
【実用新案登録請求の範囲】
【請求項１】
ディフューザー液を入れるための器と、前記器に差し込まれた水引とを備え、前記水引に前記ディフューザー液を吸い込ませて噴霧させることを特徴とする水引ディフューザー。
(57)【要約】      （修正有）【課題】仏壇に置く仏具として、蝋燭と線香を一つに収納し、容易に取り出せる蝋燭と線香の収納具を提供する。【解決手段】仏壇で蝋燭２０と線香３０を入れて置いておく蝋燭収納部と線香収納部を有する収納具１０であり、上部から蝋燭を収納する蝋燭収納部と上部から蝋燭を取り出す蝋燭取り出し部を備え、蝋燭収納部と蝋燭取り出し部とは下部で連結しており、蝋燭収納部から蝋燭取り出し部への経路の底面は下部に凸状の曲面形状であることを特徴とする。【選択図】図４
0003206057.tif 000002
【実用新案登録請求の範囲】
【請求項１】
蝋燭収納部と蝋燭取り出し部を備えて、蝋燭取り出し部の蝋燭が減ると蝋燭収納部から自動的に蝋燭が蝋燭取り出し部へ補充される構造を特徴とする蝋燭と線香の収納具
【請求項２】
線香収納部を前記蝋燭収納部と一体化して、蝋燭と線香を一つの仏具に収納し、蝋燭と線香を取り出して使用することを特徴とする請求項１に記載の蝋燭と線香の収納具。
【考案の詳細な説明】
【技術分野】
【０００１】
蝋燭と線香を一つの仏具に収納して使用する蝋燭と線香の収納具に関する。
【背景技術】
【０００２】
仏壇用の仏具には線香を収納する線香立ては有るが，蝋燭を収納しておく蝋燭入れは無く、蝋燭と線香を一体で収納するものも無い。特許文献１は、箱体にライター・線香・蝋燭の収納室を設けているが機能が多いため大きめな箱体となり、蝋燭を収納室から直接取り出す構造になっている。
【先行技術文献】
【特許文献】
【０００３】
【特許文献１】実登第３０３５１０７号公報
【考案の概要】
【考案が解決しようとする課題】
【０００４】
これまでは仏壇に灯明をあげるときに使用する蝋燭は、市販された箱のまま置いてあり、箱からその都度取り出して使用している。仏具として仏壇に置いておく蝋燭の収納具は無かった。
【課題を解決するための手段】
【０００５】
仏壇に置く蝋燭の収納具を提供すると共に線香の収納具を一体化して便利に使用できる仏具として蝋燭と線香の収納具を提供する。
【考案の効果】
【０００６】
蝋燭と線香を一つの仏具に収納するので場所を取ることなく仏壇に置いておける。蝋燭と線香を容易に取り出せるので仏壇で蝋燭と線香が使用しやすくなる。
【図面の簡単な説明】
【０００７】
【図１】蝋燭と線香の収納具の断面図
【図２】蝋燭と線香の収納具の平面図
【図３】蝋燭と線香の収納状況の平面図
【図４】蝋燭と線香の収納状況の断面図
【図５】蝋燭と線香の収納具の測面図
【図６】蝋燭と線香の収納状況の正面図
【考案を実施するための形態】
【０００８】
蝋燭収納部と蝋燭取り出し部は下部で連結しているので、蝋燭収納部の蝋燭が自重で下りてきて蝋燭取り出し部に補充される。
【０００９】
蝋燭収納部と蝋燭取り出し部の間に線香収納部を設けることにより、蝋燭収納部から蝋燭取り出し部への経路ができて蝋燭の補充が円滑となる構造にできる。
【実施例】
【００１０】
蝋燭と線香の収納具は、蝋燭収納部の蝋燭の自重と経路での摩擦抵抗と蝋燭取り出し部の蝋燭の自重との均衡で、蝋燭が蝋燭収納部から蝋燭取り出し部への経路を通過できて蝋燭取り出し部に過剰に出過ぎない形状にする。
【００１１】
線香収納部を区分すると、それぞれに異なる線香を入れて日々好みの線香を使用できる。
【００１２】
蝋燭と線香の収納具は、図５に示すように線香収納部・蝋燭収納部・蝋燭取り出し部を帯状の板を曲げた状態に成形し、側面の部材が無い形状にして蝋燭と線香の収納具の幅より長い蝋燭を収納することができる。
【産業上の利用可能性】
【００１３】
本発明の蝋燭と線香の収納具は，蝋燭と線香を一つの仏具に収納できるので仏壇で場所を取ることなく置いておくことができる。蝋燭と線香を容易に取り出して便利に使用できる。実用的には、日常のお勤めで使用されることの多い長さ６ｃｍ径６ｍｍ程度までの蝋燭を収納して使用するのが良い。側面のある蝋燭と線香の収納具では、長さが２ｃｍ程の蝋燭は図３・図４のように揃えた状態でなくバラバラな向きに入れた状態でも使用できる。また、側面が無い蝋燭と線香の収納具では、図６のように蝋燭と線香の収納具の幅より長い蝋燭を収納することができる。
【符号の説明】
【００１４】
１  蝋燭収納部
２  線香収納部
３  蝋燭取り出し部
１０  蝋燭と線香の収納具
２０  蝋燭
３０  線香
【図１】
0003206057.tif 000003
【図２】
0003206057.tif 000004
【図３】
0003206057.tif 000005
【図４】
0003206057.tif 000006
【図５】
0003206057.tif 000007
【図６】
0003206057.tif 000008
【手続補正書】
【提出日】平成28年6月14日(2016.6.14)
【手続補正１】
【補正対象書類名】実用新案登録請求の範囲
【補正対象項目名】請求項１
【補正方法】変更
【補正の内容】
【請求項１】
上部から蝋燭を収納する蝋燭収納部と上部から蝋燭を取り出す蝋燭取り出し部を備えて、前記蝋燭収納部と前記蝋燭取り出し部とは下部で連結しており、蝋燭収納部から蝋燭取り出し部への経路の底面は下部に凸状の曲面形状であることを特徴とする蝋燭と線香の収納具
(57)【要約】      （修正有）【課題】カップを持って移動するとき、内容物をこぼさないようにカップをつり下げて持ち運ぶカップキャリーを提供する。【解決手段】カップを受ける輪となる部分とつり手１とからなるカップキャリーであって、カップを受ける輪となる部分は二つの半円形部材からなり、当該半円形部材とつり手との連結箇所は環２どうしによりつながれることにより自在性をもち小さく薄くたたみシャツのポケットに携帯でき、いつでも使用できる。【選択図】図１
0003206060.tif 000002
【実用新案登録請求の範囲】
【請求項１】
カップを受ける輪となる部分を二つの半円形として、つり手との連結する箇所を環どうしでつなぐことにより自在性をもち小さく薄くたたみシャツのポケットに携帯でき、いつでも使用できる。
【請求項２】
つり下げるためカップは安定し揺れても遠心力が働き内容物がこぼれにくいカップキャリー。
【考案の詳細な説明】
【技術分野】
【０００１】  本考案は飲食物のカップによる持ち帰り販売が盛んとなっている現在、内容物をこぼさない為の簡便な道具である。
【背景技術】
【０００２】  内容物をこぼさずに安心して持ち運ぶことができる簡易な仕組みでなければならない。
【先行技術文献】
【考案の概要】
【考案が解決しようとする課題】
【０００３】  カップを水平に保つことができれば内容物のこぼれに対応できる。
【課題を解決するための手段】
【０００４】  カップを水平に保つためにはカップをつり下げて持ち、カップの口径より小さい口径の輪により保持し、つり手部分と輪を自在に可動させることにより安定させる。
【考案の効果】
【０００５】  本考案のカップキャリーを利用することにより揺れに対し遠心力が働き内容物をこぼさずに長い距離を持ち運ぶことが可能となる。
【考案を実施するための形態】
【０００６】  本考案のカップキャリーを実施の形態について図面にて説明する。
【０００７】  図１は本考案の実施例である。
【図面の簡単な説明】
【０００８】
【図１】は本考案の斜視図と一部拡大図
【図２】は本考案の正面、平面、側面図
【符号の説明】
【０００９】  １・・・・・・つり手と環
２・・・・・・カップ受けの半円と環
【図１】
0003206060.tif 000003
【図２】
0003206060.tif 000004
【手続補正書】
【提出日】平成28年6月10日(2016.6.10)
【手続補正１】
【補正対象書類名】実用新案登録請求の範囲
【補正対象項目名】全文
【補正方法】変更
【補正の内容】
【実用新案登録請求の範囲】
【請求項１】
カップを受ける輪となる部分とつり手とからなるカップキャリーであって、前記カップを受ける輪となる部分は二つの半円形部材からなり、当該半円形部材と前記つり手との連結箇所は環どうしによりつながれることにより自在性をもち小さく薄くたたみシャツのポケットに携帯でき、いつでも使用できるカップキャリー。
【請求項２】
カップをつり下げることにより重心が低くなり安定し、揺れても遠心力により内容物がこぼれにくく安定した状態を保ち、カップとカップキャリーの輪の口径差及びカップと内容物の重さによってカップを挟むように締め付けて保持し、逆Ｕ字形のつり手のそれぞれの環と前記の輪に設けられた環を連結するカップキャリー。
(57)【要約】      （修正有）【課題】硬縮の強い患者や、多動傾向にある患者の着替えを簡単で容易にする介護用寝衣を提供する。【解決手段】前身頃４に左右の袖６を付け右脇（又は左脇）から肩までを片側（左、又は右）の身頃のみ縫い合わせ、左側（又は右側）は分離したまま後身頃２と前身頃４を肩と脇のボタン８と面ファスナー７で留めることにより、腕が硬縮している患者や、多動傾向にある患者の着脱を介護者が、簡単かつ容易に行える。【選択図】図１
0003206052.tif 000002
【実用新案登録請求の範囲】
【請求項１】
前身頃に左右の袖を付け右脇（又は左脇）から肩までを片側（左、又は右）の身頃のみ縫い合わせ、左側（又は右側）は分離したまま後身頃と前身頃を肩と脇のボタンと面ファスナー（マジックテープ）で留めることにより、腕が硬縮している患者や、多動傾向にある患者の着脱を簡単かつ容易に行える事を特徴とする介護用寝衣。
【考案の詳細な説明】
【技術分野】
【０００１】  本考案は、前身頃に両袖を付け後身頃左側（又は右側）を切り離すことにより、介護を必要とする患者、特に腕の硬縮が強い患者及び、多動傾向にある患者を介護者が寝衣の着脱を簡単かつ容易に行うことのできる介護用寝衣に関するものである。
【背景技術】
【０００２】  従来の寝衣では、袖と前身頃で係着するものがある（例えば、実登３０４４２３９）この場合、多くのマジックテープを係着する動作が必要になる為、多動傾向の患者には係着が容易でない、硬縮の強い患者は体をくの字に曲げていることが多く、湾曲に沿っての係着に時間を要する。
【先行技術文献】
【特許文献】
【０００３】
【特許文献１】実登３０４４２３９
【考案の概要】
【考案が解決しようとする課題】
【０００４】  本考案は、上記の実状に鑑み、全く新規な着想に基づいて創案されたものであり、その意図するところは、両腕の硬縮の強い患者や、多動傾向にある患者に臥床したまま無理なく簡単に着脱することができる。
【課題を解決するための手段】
【０００５】  上記課題を解決するため、本考案が採用した技術手段は、前身頃に両袖ラグランスリープを付け、後身頃を片側（右、又は左）のみ縫い付けることで、仰臥位のまま硬縮している腕を開くことなく、又は、多動傾向にある患者にも簡単で容易に袖を通すことができ、そのまま一回の体交で着脱が容易に行える。
【考案の効果】
【０００６】  本考案は、長い上衣の長パジャマ風の寝衣であり、前身頃に左右の袖を設け左側（又は、右側）を片側のみ切り離し、切り離した後身頃に肩と脇でボタンとマジックテープにて係着する。硬縮の強い患者は、前身頃に袖を付けたことで硬縮したまま腕に袖を通すことができ、多動傾向にある患者の場合も、動く腕に袖を通しやすい。後身頃は、体を巻くように着せることができるため、簡単に無理なく着脱が行える。患者に無理を強いることもなく一回の体交で着脱できることにより介護者の負担も軽減できる。（注）考案の詳細な説明中マジックテープは登録商標である。
【図面の簡単な説明】
【０００７】
【図１】上衣正面図
【図２】上左、上衣後身頃図  上右、上衣前身頃図  下、上衣袖図と部品図
【考案を実施するための形態】
【０００８】  本考案の好適な実施形態を添付図面に基づいて詳細に説明する。まず、図１、図２は、寝衣としての一例を示す長い丈のパジャマであり、袖６はラグランスリープを用い前身頃に左右の袖６を縫い付ける。後身頃左（又は、右）の肩に掛かる生地３は鎖骨３Ａ近くまで延長し、肩で２か所３Ｂに一か所９のゴムをループ状に縫い付け４の前身頃に８のボタンと７のマジックテープで簡単に係着ができる。４の前身頃には５の捲れ防止布が１００ｍｍ余分に設けていることにより、両袖を通したとき外れにくく裾が捲れにくくなっている。図を反転することにより右開きを可能にする。
【実施例】
【０００９】  身頃２と４を裁断し脇側２Ｂと４Ｂを縫い合わせ１枚布にする。４の身頃に肩止め用８のボタンを２個と脇から１５０ｍｍ離れた個所に１個付ける。７Ａは１０と８の間に一か所とその位置から真下１５０ｍｍの位置に四方を縫い付ける。２の後身頃に３の生地を設け３Ａ肩部分に９のゴムをループ状に２か所縫い付け３Ｂの部分にも一つ縫い付ける。７Ｂのマジックテープは３の生地に１５０ｍｍ間隔で四方を縫い付ける。【０００１０】  ６の袖を左右２枚裁断し片方袖（左又は右）に６Ａ中央から３０ｍｍ離れた部分に一枚７Ａの四方を縫い付け、残りの６は６Ｂを予め縫い合わせ６Ａの袖後ろ部と２Ａ、４Ａを縫い合わせる。７Ａが縫い付けてある６は６Ａと４Ａ、４Ｃと縫い合わせる。両袖を付けた後は首回りより布端にマチテープを縫いつける。【００１１】  臥床された患者の腕に袖を通すと右側臥位（又は、左側臥位）に体交し、片手（右手）で支えながら片方の手で後身頃を背に沿って背中下に軽く入れ込み元の仰臥位に戻す。左側（又は、右側）から３の生地を引っ張り出すとそれぞれボタンとマジックテープを係着することで完了する。
【産業上の利用可能性】
【００１２】  一人の介護者により、介護の難しい患者を一回の体交で簡単に着脱が行える長衣であるため、病院、介護施設や在宅介護の家庭で利用が見込める。又、着脱が簡単なため着脱に時間を取られることがなく時間の短縮ができる。
【符号の説明】
【００１３】１    上衣
２    後身頃
２Ａ  後袖縫い合わせ部
２Ｂ  前身頃縫い合わせ部
３    後身頃に属する余分身頃
３Ａ  肩留め部
３Ｂ  前留め部
４    前身頃
４Ａ  袖縫い合わせ部
４Ｂ  脇縫い合わせ部
４Ｃ  袖後縫い合わせ部
５    前身頃に属する捲れ防止布
６    袖
６Ａ  袖合わせ部
６Ｂ  袖下、袖口
７    マジックテープ
７Ａ  フック状
７Ｂ  ループ状
８    ボタン（シャンクボタン）
９    ゴム紐（細目平ゴム）
１０  脇
１１  マチテープ
【図１】
0003206052.tif 000003
【図２】
0003206052.tif 000004
【手続補正書】
【提出日】平成28年6月8日(2016.6.8)
【手続補正１】
【補正対象書類名】実用新案登録請求の範囲
【補正対象項目名】全文
【補正方法】変更
【補正の内容】
【実用新案登録請求の範囲】
【請求項１】
前身頃に左右の袖を付け右脇（又は左脇）から肩までを片側（左、又は右）の身頃のみ縫い合わせ、左側（又は右側）は分離したまま後身頃と前身頃を肩と脇のボタンと面ファスナーで留めることにより、腕が硬縮している患者や、多動傾向にある患者の着脱を介護者が、簡単かつ容易に行える事を特徴とする介護用寝衣。
(57)【要約】      （修正有）【課題】縫目が無く袖に手を通す時にスムーズに着用できるスーツ、ジャケット、コート、または、ブルゾンを提供する。【解決手段】表側をセットイン袖付けとし、裏側をラグラン袖付けとした。【選択図】図２
0003206054.tif 000002
【実用新案登録請求の範囲】
【請求項１】
：表側セットイン袖付け  裏側ラグラン袖付けのスーツ・ジャケット・コート・ブルゾン
【考案の詳細な説明】
【技術分野】
【０００１】従来の物に比べ袖どおりがよい【０００２】腕が動かしやすい
【背景技術】
【０００３】裏側の袖付けをラグランに変える事で、縫目が無く袖に手を通す時にスムーズに着用できる【０００４】背に斜めに伸縮性のある素材を入れる事で、腕のあらゆる方向への動きに追従する
【考案が解決しようとする問題】
【０００５】表がセットイン袖付けの場合裏もセットイン袖付けであることから縫目等が、障害となり着用時に引っかかりが出来る
【０００６】伸縮性の少ない裏地が妨げとなり、腕の動きが制限される
【考案の効果】
【０００７】表側のデザイン・シルエットを崩すことなく、着用時袖通りがスムーズにする
【０００８】表側のデザイン・シルエットを崩すことなく、腕の運動に対しストレスを感じなくする
【図面の簡単な説明】
【０００９】
【図１】  裏がラグランスリーブである
【図２】  背部分に斜めに伸縮性のあるテープで切り替え図である
【図３】  表側のデザイン図である
【符号の説明】
【００１０】ａ）        伸縮性のあるテープ
【図１】
0003206054.tif 000003
【図２】
0003206054.tif 000004
【図３】
0003206054.tif 000005
【手続補正書】
【提出日】平成28年6月13日(2016.6.13)
【手続補正１】
【補正対象書類名】実用新案登録請求の範囲
【補正対象項目名】全文
【補正方法】変更
【補正の内容】
【実用新案登録請求の範囲】
【請求項１】
表側をセットイン袖付けとし、裏側をラグラン袖付けとした事を特徴とするスーツ、ジャケット、コート、またはブルゾン。
(57)【要約】      （修正有）【課題】強風や植栽物の重みによる支柱の傾斜・倒伏を防止する植木鉢・プランターの目皿板を提供する。【解決手段】目皿板本体１に支柱挿入用筒２を設け、これを植木鉢・プランター４の底部に設置して土壌６及び植栽物の自重で支柱３の直立性と倒伏防止を図り、栽培を安定化する。【選択図】図２
0003206072.tif 000002
【実用新案登録請求の範囲】
【請求項１】
植木鉢やプランターに支柱を立てた場合に強風や植栽物の重みで傾斜・倒伏を防止するため支柱挿入用筒を設けて支柱の直立・安定性を確保したところを特徴とする植木鉢・プランター用目皿板。
【考案の詳細な説明】
【技術分野】
【０００１】本考案は支柱挿入用筒を設けた植木鉢・プランター用目皿板に関するものである。
【背景技術】
【０００２】強風や植栽物の重量によって支柱基部がゆるみ、傾斜・倒伏することがある。
【考案の概要】
【考案が解決しようとする課題】
【０００３】植木鉢やプランター内の土壌中に支柱を突き立てただけでは、強風や植栽物の重量で支柱基部がゆるみ、傾き・倒伏するので支柱根元部を筒に入れてその直立・安定性を確保が可能にするものである。
【課題を解決するための手段】
【０００４】支柱を支えるのに必要な強度と高さを持った筒付きの目皿板を植木鉢・プランターにセットし、土壌及び植栽物の重量で支柱基部を支え問題点を解決している。
【考案の効果】
【０００５】本考案により、支柱の傾斜・倒伏による植栽物へのダメージ防止が可能となり安定的な栽培に役立つ。
【図面の簡単な説明】
【０００６】
【図１】本考案の支柱挿入用筒付き目皿板の概要図である。
【図２】本目皿板の植木鉢・プランターへの設置断面図である。
【考案を実施するための形態】
【０００７】  植木鉢・プランターの形状・サイズに合せた目皿板に支柱を支えるのに必要な高さ・内径の挿入筒を１本あるいは複数本を設置する。
目皿板と筒の材質は、耐蝕性等から樹脂製が望ましく目皿板と筒とは一体成型あるいは分離接続式で製作する。
【実施例】
【０００８】  以下、添付図面に従って一実施例を説明する。〔図１〕は支柱挿入用筒付き目皿板の概要図であり、〔図２〕は支柱を挿入した状態で植木鉢・プランターの底部あるいは鉢底石の上部にセットした上で土壌を入れ、その後、植栽物を植え、支柱と植栽物の茎や枝とひもなどで結ぶ。
【符号の説明】
【０００９】１  目皿板
２  支柱挿入用筒
３  支柱
４  鉢
５  鉢底石
６  土壌
７  プランター
【図１】
0003206072.tif 000003
【図２】
0003206072.tif 000004